(57)【要約】【課題】光を走査させるための光の偏向用反射体の振動を防止する。【解決手段】光の偏向用反射体１０は、ほぼ円筒形で、一方の端面１１が径方向の線からなる段差部１３を有し、段差部１３以外の外周が中心軸１４からの距離の変化分が中心軸１４回りの角度に比例する螺旋形であるカム状の形状で、他方の端面１２は、同様に径方向の線からなる段差部１５を有し、段差部１５以外の外周が中心軸１４からの距離の変化分が中心軸１４回りの角度に比例する螺旋形であるカム状の形状で、一方の端面の側から見たときに段差部１３と段差部１５とは同じ向きに位置して重なって見え、端面１１の外形と端面１２の外形とは対称の関係となる。反射体１０の段差部１１と段差部１２との間以外の外周面と中心軸１４を含む任意の平面とは直線で交差するものである。【選択図】      図２
2005055765.tif 000002
【特許請求の範囲】
【請求項１】
中心軸を有する円筒が変形された変形円筒状で、
前記中心軸と直交する第一の横断面は、径が第一の段差部で急激に変化し、前記第一の段差部以外の部分で前記中心軸回りの第一の回転方向に次第に変化する第一のカム状の形状からなり、
前記第一の横断面とは離れ前記中心軸と直交する第二の横断面は、径が第二の段差部で急激に変化し、前記第二の段差部以外の部分で前記中心軸回りの前記第一の回転方向とは逆の第二の回転方向に次第に変化する第二のカム状の形状からなり、
前記中心軸からの前記第一の段差部の向きと前記第二の段差部の向きとが同じで、前記第一の横断面の第一の回転方向の径の変化が前記第二の横断面の第二の回転方向の径の変化と同じで、第一のカム状の形状と第二のカム状の形状とが対称であって、
前記中心軸を含む平面と前記第一の横断面および前記第二の横断面間の外周面とが直線で交差することを特徴とする光の偏向用反射体。
【請求項２】
中心軸と直交する平面上の前記中心軸を中心とする基礎円と交差し前記中心軸と平行な母線からなる円筒が変形された変形円筒状で、
外周面の少なくとも一部と前記中心軸を含む平面との交線が前記基礎円と交差し、前記交線の前記円筒の母線とのなす偏り角度が前記中心軸回りに変化することを特徴とする光の偏向用反射体。
【請求項３】
中心軸と直交する平面上の前記中心軸を中心とする基礎円と交差し前記中心軸と平行な母線Ａからなる円筒が変形された変形円筒状で、
外周面の少なくとも一部と前記中心軸を含む平面との交線Ｂが前記基礎円と交差し、
前記基礎円を有する平面において前記中心軸と前記基礎円上の基準点とを結ぶ基準線から前記中心軸と前記基礎円上の一点Ｄを結ぶ線と間の角度を中心角度Ｅ（０〜３６０度）とすると、前記一点Ｄを通る前記交線Ｂと前記一点Ｄを通る前記円筒の母線Ａとの間の偏り角度Ｃが前記中心角度Ｅの関数Ｃ＝ｆ（Ｅ）と表せることを特徴とする光の偏向反射体。
【請求項４】
中心軸と直交する平面上の前記中心軸を中心とする基礎円と交差し前記中心軸上の一点を通り前記中心軸と半頂角をなす母線からなる円錐が変形された変形円錐状で、
外周面の少なくとも一部と前記中心軸を含む平面との交線が前記基礎円と交差し、前記交線の前記円錐の母線とのなす偏り角度が前記中心軸回りに変化することを特徴とする光の偏向用反射体。
【請求項５】
中心軸と直交する平面上の前記中心軸を中心とする基礎円と交差し前記中心軸上の一点を通り前記中心軸と半頂角Ｍをなす母線Ａからなる円錐が変形された変形円錐状で、
外周面の少なくとも一部と前記中心軸を含む平面との交線Ｂが前記基礎円と交差し、
前記基礎円を有する平面において前記中心軸と前記基礎円上の基準点とを結ぶ基準線から前記中心軸と前記基礎円上の一点Ｄを結ぶ線と間の角度を中心角度Ｅ（０〜３６０度）とすると、前記一点Ｄを通る前記交線Ｂと前記一点Ｄを通る前記円錐の母線Ａとの間の偏り角度Ｃが前記中心角度Ｅの関数Ｃ＝ｆ（Ｅ）と表せることを特徴とする光の偏向反射体。
【請求項６】
中心軸と直交する円板が変形された変形円板状で、
表面の少なくとも一部と前記中心軸を含む平面との交線が前記円板上の前記中心軸を中心とする基礎円と交差し、前記交線と前記円板とのなす偏り角度が前記中心軸回りに変化することを特徴とする光の偏向用反射体。
【請求項７】
中心軸と直交する円板が変形された変形円板状で、
表面の少なくとも一部と前記中心軸を含む平面との交線が前記円板上の前記中心軸を中心とする基礎円と交差し、
前記円板において前記中心軸と前記基礎円上の基準点とを結ぶ基準線から前記中心軸と前記基礎円上の一点Ｄを結ぶ線と間の角度を中心角度Ｅ（０〜３６０度）とすると、一点Ｄを通る前記交線Ｂと前記円板との間の偏り角度Ｃが前記中心角度Ｅの関数Ｃ＝ｆ（Ｅ）と表せることを特徴とする光の偏向反射体。
【請求項８】
前記偏り角度が中心軸回りを等分割した各部分で同一に変化するように周期的に変化することを特徴とする請求項２〜７のいずれかに記載の光の偏向用反射体。
【請求項９】
Ｃ＝ｆ（Ｅ）が前記中心角度Ｅの変化に従って周期的に変化することを特徴とする請求項３、５または７のいずれかに記載の光の偏向用反射体。
【請求項１０】
前記偏り角度Ｃがｋを定数とすると前記中心角度Ｅの関数Ｃ＝ｋ（１８０度−Ｅ）と表せることを特徴とする請求項３、５または７のいずれかに記載の光の偏向用反射体。
【請求項１１】
素材が金属であることを特徴とする請求項１〜１０のいずれかに記載の光の偏向用反射体。
【請求項１２】
表面が高い反射率を持つ物質で被覆されたことを特徴とする請求項１〜１１のいずれかに記載の光の偏向用反射体。
【請求項１３】
前記中心軸回りに回転しても振動が生じないようにバランシング用質量を備えたことを特徴とする請求項１〜１２のいずれかに記載の光の偏向用反射体。
【請求項１４】
前記中心軸回りに回転させられる駆動機構を備えたことを特徴とする請求項１〜１３のいずれかに記載の光の偏向用反射体。
【請求項１５】
前記中心軸回りの回転角度を検出する角度検出器を備えたことを特徴とする請求項１４に記載の光の偏向用反射体。
【請求項１６】
前記基礎円上の点となる固定点に一定の方向から光を照射する光学系を備えたことを特徴とする請求項１４または１５のいずれかに記載の光の偏向用反射体。
【発明の詳細な説明】
【技術分野】
【０００１】
本発明は、光の偏向用反射体に関し、特に印刷装置、複写機、プロジェクター等においてレーザ光などを偏向させるために使用される光の偏向用反射体に関する。
【背景技術】
【０００２】
従来の光の偏向用反射体としては、揺動する平面鏡が用いられていた。しかし、平面鏡を揺動させるのには、平面鏡の回転方向を正反対に変えなければならず、振動が激しく、高速化が困難であり、機器の短寿命につながることとなっていた。
【０００３】
また、特開平２−１２７６０９号公報（特許文献１）には、図１０に示す光偏向器が示されている。
【０００４】
図１０において、円筒体１の外周面に螺旋状鏡面７が形成され、光源３からの円筒体１の中心軸と平行な光線８がコリメータレンズ４を通った後に螺旋状鏡面７で反射して直角に向きを変え、結像レンズ５を通って円筒体１と平行に置かれた記録媒体６上に結像される。モータ２で円筒体１を回転させることにより、螺旋状鏡面７が移動し、光線８の記録媒体６上の結像点が移動すべく光線８が偏向される。
【０００５】
【特許文献１】特開平２−１２７６０９号公報（第１図）
【発明の開示】
【発明が解決しようとする課題】
【０００６】
上述の従来の揺動する平面鏡を用いる光の偏向用反射体は、平面鏡の回転方向を正反対に変えなければならず、振動が激しく、高速化が困難であり、機器の短寿命につながることとなっていた。
【０００７】
また、特開平２−１２７６０９号公報に開示された光偏光器では、光線８を走査させる記録媒体６の幅と同じ長さの円筒体１が必要となり、装置が大きくなってしまうという問題点がある。また、螺旋状鏡面７を成形するのが困難であるという問題点もある。
【課題を解決するための手段】
【０００８】
請求項１に係る発明の光の偏向用反射体（図１の１０）は、中心軸（図１の１４）を有する円筒が変形された変形円筒状で、
前記中心軸と直交する第一の横断面（図１の１１）は、径が第一の段差部（図１の１３）で急激に変化し、前記第一の段差部以外の部分で前記中心軸回りの第一の回転方向に次第に変化する第一のカム状の形状からなり、
前記第一の横断面とは離れ前記中心軸と直交する第二の横断面（図１の１２）は、径が第二の段差部（図１の１５）で急激に変化し、前記第二の段差部以外の部分で前記中心軸回りの前記第一の回転方向とは逆の第二の回転方向に次第に変化する第二のカム状の形状からなり、
前記中心軸からの前記第一の段差部の向きと前記第二の段差部の向きとが同じで、前記第一の横断面の第一の回転方向の径の変化が前記第二の横断面の第二の回転方向の径の変化と同じで、第一のカム状の形状と第二のカム状の形状とが対称であって、
前記中心軸を含む平面と前記第一の横断面および前記第二の横断面間の外周面とが直線で交差することを特徴とする。
【０００９】
請求項２に係る発明の光の偏向用反射体（図１の１０）は、中心軸（図１の１４）と直交する平面上の前記中心軸を中心とする基礎円（図１の１６）と交差し前記中心軸と平行な母線からなる円筒が変形された変形円筒状で、
外周面の少なくとも一部と前記中心軸を含む平面との交線が前記基礎円と交差し、前記交線の前記円筒の母線とのなす偏り角度が前記中心軸回りに変化することを特徴とする。
【００１０】
請求項３に係る発明の光の偏向用反射体（図１の１０）は、中心軸（図１の１４）と直交する平面上の前記中心軸を中心とする基礎円（図１の１６）と交差し前記中心軸と平行な母線Ａからなる円筒が変形された変形円筒状で、
外周面の少なくとも一部と前記中心軸を含む平面との交線Ｂが前記基礎円と交差し、
前記基礎円を有する平面において前記中心軸と前記基礎円上の基準点とを結ぶ基準線から前記中心軸と前記基礎円上の一点Ｄを結ぶ線と間の角度を中心角度Ｅ（０〜３６０度）とすると、前記一点Ｄを通る前記交線Ｂと前記一点Ｄを通る前記円筒の母線Ａとの間の偏り角度Ｃが前記中心角度Ｅの関数Ｃ＝ｆ（Ｅ）と表せることを特徴とする。
【００１１】
請求項４に係る発明の光の偏向用反射体（図３の３０）は、中心軸（図３の３４）と直交する平面上の前記中心軸を中心とする基礎円（図３の３６）と交差し前記中心軸上の一点を通り前記中心軸と半頂角をなす母線からなる円錐が変形された変形円錐状で、
外周面の少なくとも一部と前記中心軸を含む平面との交線が前記基礎円を交差し、前記交線の前記円錐の母線とのなす偏り角度が前記中心軸回りに変化することを特徴とする。
【００１２】
請求項５に係る発明の光の偏向用反射体（図３の３０）は、中心軸（図３の３４）と直交する平面上の前記中心軸を中心とする基礎円（図３の３６）と交差し前記中心軸上の一点を通り前記中心軸と半頂角Ｍをなす母線Ａからなる円錐が変形された変形円錐状で、
外周面の少なくとも一部と前記中心軸を含む平面との交線Ｂが前記基礎円と交差し、
前記基礎円を有する平面において前記中心軸と前記基礎円上の基準点とを結ぶ基準線から前記中心軸と前記基礎円上の一点Ｄを結ぶ線と間の角度を中心角度Ｅ（０〜３６０度）とすると、前記一点Ｄを通る前記交線Ｂと前記一点Ｄを通る前記円錐の母線Ａとの間の偏り角度Ｃが前記中心角度Ｅの関数Ｃ＝ｆ（Ｅ）と表せることを特徴とする。
【００１３】
請求項６に係る発明の光の偏向用反射体（図７の５０）は、中心軸と直交する円板が変形された変形円板状で、
表面の少なくとも一部と前記中心軸を含む平面との交線が前記円板上の前記中心軸を中心とする基礎円（図７の５６）と交差し、前記交線と前記円板とのなす偏り角度が前記中心軸回りに変化することを特徴とする。
【００１４】
請求項７に係る発明の光の偏向用反射体（図７の５０）は、中心軸（図７の５４）と直交する円板が変形された変形円板状で、
表面の少なくとも一部と前記中心軸を含む平面との交線が前記円板上の前記中心軸を中心とする基礎円（図７の５６）と交差し、
前記円板において前記中心軸と前記基礎円上の基準点とを結ぶ基準線から前記中心軸と前記基礎円上の一点Ｄを結ぶ線と間の角度を中心角度Ｅ（０〜３６０度）とすると、一点Ｄを通る前記交線Ｂと前記円板との間の偏り角度Ｃが前記中心角度Ｅの関数Ｃ＝ｆ（Ｅ）と表せることを特徴とする。
【００１５】
請求項８に係る発明は、請求項２〜７のいずれかに記載の光の偏向用反射体で、前記偏り角度が中心軸回りを等分割した各部分で同一に変化するように周期的に変化することを特徴とする。
【００１６】
請求項９に係る発明は、請求項３、５または７のいずれかに記載の光の偏向用反射体で、前記関数Ｃ＝ｆ（Ｅ）が前記中心角度Ｅの変化に従って周期的に変化することを特徴とする。
【００１７】
請求項１０に係る発明は、請求項３、５または７のいずれかに記載の光の偏向用反射体で、前記偏り角度Ｃがｋを定数とすると前記中心角度Ｅの関数Ｃ＝ｋ（１８０度−Ｅ）と表せることを特徴とする。
【００１８】
請求項１１に係る発明は、請求項１〜１０のいずれかに記載の光の偏向用反射体で、素材が金属であることを特徴とする。
【００１９】
請求項１２に係る発明は、請求項１〜１１のいずれかに記載の光の偏向用反射体で、表面が高い反射率を持つ物質で被覆されたことを特徴とする。
【００２０】
請求項１３に係る発明は、請求項１〜１２のいずれかに記載の光の偏向用反射体で、前記中心軸回りに回転しても振動が生じないようにバランシング用質量を備えたことを特徴とする。
【００２１】
請求項１４に係る発明は、請求項１〜１３のいずれかに記載の光の偏向用反射体で、前記中心軸回りに回転させられる駆動機構（図２の１７、図６の３７、図８の５７）を備えたことを特徴とする。
【００２２】
請求項１５に係る発明は、請求項１４に記載の光の偏向用反射体で、前記中心軸回りの回転角度を検出する角度検出器を備えたことを特徴とする。
【００２３】
請求項１６に係る発明は、請求項１４または１５のいずれかに記載の光の偏向用反射体で、前記基礎円上の点となる固定点に一定の方向から光を照射する光学系（図２の１８、１９、２０、図６の３８、４０、図８の５８、６０）を備えたことを特徴とする。
【発明の効果】
【００２４】
本発明の光の偏向用反射体は、円筒、円錐または円板に近い形状の変形円筒状、変形円錐状または変形円板状の反射体を中心軸回りに回転させることにより、光線を偏向させることができ、従来の平面鏡を揺動させる光の偏向用反射体に比べ振動を非常に少なくすることができる効果がある。
【００２５】
また、特開平２−１２７６０９号公報に開示された光偏光器では、円筒の直角な方向に反射した光を円筒の長手方向に沿って移動させるため、走査対象である記録媒体等の幅と同じ長さの円筒を要するが、本発明の光の偏向用反射体では、反射光の角度を変化させて光線を放射状に偏向させるために、反射体の長さを走査対象の幅よりもはるかに短くすることができる。
【００２６】
また、一般的に用いられている多角柱からなるポリゴンミラーを回転させる光の偏向用反射体では、多角柱の側面で光線を反射させているが、その側面上の光線の反射位置から回転中心までの距離がポリゴンミラーの回転に従って変化し、光線の反射位置が少し移動することとなるが、本発明の光の偏向用反射体では、光の反射点が基礎円上に位置し、反射体が回転しても全く移動しない。
【発明を実施するための最良の形態】
【００２７】
次に、本発明の実施の形態について図面を参照して詳細に説明する。
【００２８】
図１は、本発明の第一の実施の形態の光の偏向用反射体１０の斜視図である。
【００２９】
光の偏向用反射体１０は、ほぼ円筒形で、一方の端面１１が径方向の線からなる段差部１３を有し、段差部１３以外の外周が中心軸１４からの距離の変化分が中心軸１４回りの角度に比例する螺旋形であるカム状の形状となっている。反射体１０の他方の端面１２は、同様に径方向の線からなる段差部１５を有し、段差部１５以外の外周が中心軸１４からの距離の変化分が中心軸１４回りの角度に比例する螺旋形であるカム状の形状となっている。ただし、一方の端面の側から見たときに段差部１３と段差部１５とは同じ向きに位置して重なって見え、端面１１の外形と端面１２の外形とは対称の関係となる。
【００３０】
光の偏向用反射体１０の外周面は、同一方向にある端面１１の外周上の点と端面１２の外周上の点とを結ぶ直線からなる母線の集合からなる曲面、および段差部１３と段差部１５自体と、段差部１３の外側の端点と段差部１５の内側の端点とを結ぶ線と、段差部１３の内側の端点と段差部１５の外側の端点とを結ぶ線で囲まれる平面とからなる。言い換えれば、光の偏向用反射体１０の段差部１３と段差部１５との間以外の外周面は、中心軸１４を含む任意の平面と直線で交差するものである。
【００３１】
光の偏向用反射体１０の端面１１と端面１２間の中央の横断面の外周は、中心軸１４と同心の円形（基礎円１６と称す）となる。外周面の母線は基礎円１６を通り、しかも外周面の母線と中心軸１４間の角度が中心軸１４回りの角度に比例して変化する。
【００３２】
従って、図２に示すように、光の偏向用反射体１０をモータ１７により、中心軸１４回りに回転させ、基礎円１６上となる固定点に平行光線１８をレンズ１９で集光させれば、その反射光２０の向きは、反射体１０の回転とともに変化し、反射体１０の回転角度に対し反射光２０の偏向角度は鋸歯状に変化し、この反射光２０で複写機における記録媒体等を走査することができる。
【００３３】
図３は、本発明の第二の実施の形態の光の偏向用反射体３０の斜視図であり、一点鎖線で反射体３０の外形を決定する基礎となる円錐４１の斜視図を重ねて示している。
【００３４】
光の偏向用反射体３０は、ほぼ円錘形で、一方の端面３１が径方向の線からなる段差部３３を有し、段差部３３以外の外周が中心軸３４からの距離の変化分が中心軸３４回りの角度に比例する螺旋形であるカム状の形状となっている。反射体３０の他方の端面３２は、同様に径方向の線からなる段差部３５を有し、段差部３５以外の外周が中心軸３４からの距離の変化分が中心軸３４回りの角度に比例する螺旋形であるカム状の形状となっている。ただし、一方の端面の側から見たときに段差部３３と段差部３５とは同じ向きに位置し、端面３１は端面３２よりも大きく、端面３１を段差部３３と中心軸３４とを通る線を中心に左右対称とした対称形状が端面３２と相似である関係となる。
【００３５】
光の偏向用反射体３０の外周面は、同一方向にある端面３１の外周上の点と端面３２の外周上の点とを結ぶ直線からなる母線の集合からなる曲面、および段差部３３と段差部３５自体と、段差部３３の外側の端点と段差部３５の内側の端点とを結ぶ線と、段差部３３の内側の端点と段差部３５の外側の端点とを結ぶ線で囲まれる平面とからなる。言い換えれば、光の偏向用反射体３０の段差部３３と段差部３５との間以外の外周面は、中心軸３４を含む任意の平面と直線からなる母線で交差するものである。
【００３６】
図４は、図３に示す方向Ｇから反射体３０を見た正面図である。図４で、断面ＨＨは、中心軸３４ならびに段差部３３および段差部３５が含まれる平面ＰＰとの間に中心角度Ｅをなす（中心角度Ｅは０〜３６０度である）。
【００３７】
図５は、図４に示すＨＨ切断端面図であり、反射体３０の形状を説明するのに必要な基本となる半頂角Ｍの円錐４１の断面を一点鎖線で重ねて示す。
【００３８】
図５に示す断面ＨＨおいて、断面ＨＨと反射体３０の外周面との交線Ｂおよび円錐４１との交線である母線Ａは、基礎円３６上で交差する。母線Ａと交線Ｂとの間の角度（偏り角度Ｃと称す）は中心角度Ｅの関数Ｃ＝ｆ（Ｅ）で表せられ、偏り角度Ｃは中心角度Ｅに従って変化する。
【００３９】
図３および図４に示す反射体３０は、ｋを定数として偏り角度Ｃ＝ｋ（１８０度−Ｅ）の場合である。すなわち、偏り角度Ｃは、段差部３３および段差部３５の方向Ｇから見て時計回りの位置で、中心角度Ｅが０度のではｋ×１８０度であり、段差部３５から図４における右回りに回転し、中心角度Ｅの増加とともに減少していき、平面ＰＰの段差部３３および段差部３５の反対側で中心角度Ｅが１８０度ではゼロとなり、さらに中心角度Ｅの増加とともに減少していき、段差部３３および段差部３５の方向Ｇから見て反時計回りの位置で中心角度Ｅが３６０度では−ｋ×１８０度となる。
【００４０】
従って、図６に示すように、光の偏向用反射体３０をモータ３７により、中心軸３４回りに回転させ、基礎円３６上となる固定点に光線３８を照射すれば、その反射光４０の向きは、反射体３０の回転とともに変化し、反射体３０の回転角度に対し反射光４０の偏向角度は鋸歯状に変化し、この反射光４０で複写機における記録媒体等を走査することができる。
【００４１】
なお、図１に示した光の偏向用反射体１０は、図５において半頂角Ｍをゼロとした場合で、基礎円１６と交差し中心軸３４と平行な直線である母線の集合からなる円筒を基礎として、その円筒の母線に対し偏り角度Ｃだけ傾いた直線を母線とする曲面からなるものと言える。
【００４２】
また、図５において、半頂角Ｍを９０度とすれば、図７に示す中心軸５４上の一点を通り中心軸５４と９０度をなす直線群は放射状に配置され、これら直線の集合からなる平面である円板を基礎とし、その円板と傾き角度Ｃをなす直線の集合である曲面を表面とする図７に示すような段差部５３および段差部５５ならびに基礎円５６を有する変形円板からなる本発明の第三の実施の形態である光の偏向用反射体５０が得られる。
【００４３】
図８に示すように、光の偏向用反射体５０をモータ５７により、中心軸５４回りに回転させ、基礎円５６（図７参照）上となる固定点に光線５８を照射すれば、その反射光６０の向きは、反射体５０の回転とともに変化し、反射体５０の回転角度に対し反射光６０の偏向角度は鋸歯状に変化し、この反射光６０で複写機における記録媒体等を走査することができる。
【００４４】
なお、実施の形態の光の偏向用反射体１０、３０および５０のいずれも中心軸１４、３４または５４回りの１回りで偏り角度Ｃが１周期だけ変化をするようにしたが、中心軸回りの１回りをｎ（整数とする）等分した各部分で偏り角度Ｃが１周期変化をするようにし、中心軸回りの１回りで偏り角度Ｃがｎ周期変化をするようにしすることもできる。すなわち、関数Ｃ＝ｆ（Ｅ）が円周角度Ｅの０〜３６０度の範囲内で周期的にｎ回変化するように構成することもできる。
【００４５】
例えば、図９に示す本発明の第四の実施の形態である光の偏向用反射体７０は、半頂角Ｍがゼロの変形円筒の場合で、中心軸７４回りを２等分し、一方の端面７１に互いに対向する位置に段差部７３および段差部８３を設け、他方の端面７２にも同様に段差部７５および段差部８５を設け、端面７１と端面７２とを互いに対称な形状にしたもので、同一方向にある端面７１の外周上の点と端面７２の外周上の点とを結ぶ直線からなる母線の集合からなる曲面を外周面とし、偏り角度Ｃが半周ごとに周期的に変化し、反射体７０を回転させながら基礎円７６上の固定点に光線を照射すれば反射光の偏向角度は半周ごとに周期的に変化する。
【００４６】
また、反射体の回りを３分割以上に等分することもできる。また、図３に示すような変形円錐状または図７に示すような変形円板上の光の偏向用反射体でも中心軸回りをｎ等分して反射光の偏向角度が反射体の一回転でｎ周期の変化をするようにすることもできる。
【００４７】
また、上述の図５の例では、偏り角度Ｃ＝ｋ（１８０度−Ｅ）として反射体３０からの反射光の偏向角度が鋸歯状に変化する場合を説明したが、０＜Ｅ＜１８０度でＣ＝（９０度−Ｅ）とし、１８０度＜Ｅ＜３６０度でＣ＝ｋ（Ｅ−９０度）とすれば光の偏向用反射体からの反射光の偏向角度は三角波状に変化する。
【００４８】
また、偏り角度Ｃ＝Ｓｉｎ（Ｅ）とすれば光の偏向用反射体からの反射光の偏向角度は正弦波状に変化する。その他、関数Ｃ＝ｆ（Ｅ）を替えることにより光の偏向用反射体からの反射光の偏向角度を様々に変化させることができる。
【００４９】
光の偏向用反射体の素材としては、反射率の高い材料、例えば金属を用いることができる。また、プラスチック等に金属をメッキして用いることもできる。
【００５０】
また、光の偏向用反射体は、円筒、円錐または円板を変形してあるために質量的な釣り合いが正確には整合されて無く、高速回転させた場合に振動を生じる虞があり、これを避けるためにバランシング用の重りを取り付けることが望ましい。
【００５１】
また、図１には、説明しやすくするために光の偏向用反射体１０を中心軸方向に長いものとして示しているが、光の偏向に実際に使用する部分は基礎円１６の部分の表面のみであり、基礎円１６の近傍のごく薄い円盤状に形成した光の偏向用反射体を用いることもできる。または、基礎円１６等の近傍以外は正確な円筒とし、基礎円１６の近傍のみを変形円筒状としてもよい。この場合には、光の偏向用反射体の質量的な不整合を少なくできる。
【００５２】
図３に示す光の偏向用反射体３０においても、基礎円３６の近傍のみを成形した薄い円板状の反射体とすることもできるし、正確な円筒の端面の外周部分のみを変形円錘状に成形したものを光の偏向用反射体とすることもできる。
【００５３】
図７に示す光の偏向用反射体５０も円板または円筒の端面の基礎円５６の部分の近傍のみを変形円板として成形したものを光の偏向用反射体とすることもできる。
【００５４】
図１および図２に示す光の偏向用反射体１０に平行光線を照射した場合に、ほぼ円筒状の曲面上で反射することとなるため、反射光は中心軸１４と直角な方向に広がるようになるが、これはシリンドリカルレンズ等を用いることにより修正できる。図３に示す変形円錐状の反射体３０の場合も同様である。
【００５５】
また、中心軸回りの回転角度を検出する角度検出器を設けることにより、反射体からの反射光の偏向角度を検出することもできる。
【００５６】
さらに、上述の光の偏向用反射体は、円筒、円錐または円板の中心軸の全周の３６０度にわたって偏り角度が変化する変形円筒状、変形円錐状または変形円板状としたが、中心軸の回りの一部のみを偏り角度が変化する変形円筒状等にしてもよい。たとえば、図１に示す光の偏向用反射体１０で、段差部１３および段差部１５を結ぶ段差面を中心に溝を設け、反射体１０を製作するときの加工用刃物の逃げ部分としてもよい。ただし、その溝には光線を反射させないように黒い反射防止用の塗料を施すことが望ましい。
【産業上の利用可能性】
【００５７】
印刷装置、複写機において、レーザ光を記録媒体上に走査する場合や、プロジェクターにおいて、ＤＭＤ（ディジタルマイクロミラーディバイス）上に光を走査する場合等に利用可能である。
【図面の簡単な説明】
【００５８】
【図１】本発明の第一の実施の形態の光の偏向用反射体１０の斜視図である。
【図２】図１に示す光の偏向用反射体１０により反射光２０を偏向させている状態を示す側面図である。
【図３】本発明の第二の実施の形態の光の偏向用反射体３０の斜視図である。
【図４】図３に示す光の偏向用反射体３０の正面図である。
【図５】図４のＨＨ切断端面図である。
【図６】図３に示す光の偏向用反射体３０により反射光４０を偏向させている状態を示す側面図である。
【図７】本発明の第三の実施の形態の光の偏向用反射体５０の斜視図である。
【図８】図７に示す光の偏向用反射体５０により反射光６０を偏向させている状態を示す側面図である。
【図９】本発明の第四の実施の形態の光の偏向用反射体７０の斜視図である。
【図１０】従来の光偏光器の正面図である。
【符号の説明】
【００５９】
１    円筒体
２    モータ
３    光源
４    コリメータレンズ
５    結像レンズ
６    記録媒体
７    螺旋状鏡面
１０    光の偏向用反射体
１１    端面
１２    端面
１３    段差部
１４    中心軸
１５    段差部
１６    基礎円
１７    モータ
１８    平行光線
１９    レンズ
２０    反射光
３０    光の偏向用反射体
３１    端面
３２    端面
３３    段差部
３４    中心軸
３５    段差部
３６    基礎円
３７    モータ
３８    光線
４０    反射光
４１    円錐
５０    光の偏向用反射体
５３    段差部
５４    中心軸
５５    段差部
５６    基礎円
５７    モータ
５８    光線
６０    反射光
７０    光の偏向用反射体
７１    端面
７２    端面
７３    段差部
７４    中心軸
７５    段差部
７６    基礎円
８３    段差部
８５    段差部
Ａ    母線
Ｂ    交線
Ｃ    偏り角度
Ｅ    中心角度
Ｍ    半頂角
【図１】
2005055765.tif 000003
【図２】
2005055765.tif 000004
【図３】
2005055765.tif 000005
【図４】
2005055765.tif 000006
【図５】
2005055765.tif 000007
【図６】
2005055765.tif 000008
【図７】
2005055765.tif 000009
【図８】
2005055765.tif 000010
【図９】
2005055765.tif 000011
【図１０】
2005055765.tif 000012